(57)【特許請求の範囲】
【請求項１】
ＦＲＰ製流路材と、その裏面に積層したコンクリート層とを有する汚水桝用インバートにおいて、ＦＲＰ製流路材の端面がコンクリート層の側端面を被覆するとともに、さらにその端部に段差を設けて施工時にＦＲＰ製流路材の浮き上がりを防止するようにしたことを特徴とする汚水桝用インバート。
【請求項２】
コンクリート層外面の露出部分が、保護カバーで被覆されている請求項１に記載の汚水桝用インバート。
【請求項３】
コンクリート層が、軽量コンクリート製である請求項１又は２のいずれかに記載の汚水桝用インバート。
【請求項４】
保護カバーが、ＦＲＰ、プラスチックの単一もしくは複合シート、織布もしくは不織布から選ばれてなる請求項１ないしのいずれかに記載の汚水桝用インバート。
【発明の詳細な説明】
【０００１】
【発明の属する技術分野】
この発明は、下水桝や雨水桝に適用して使用する汚水桝用インバートに関するものである。
【０００２】
【従来の技術】
従来、下水桝や雨水桝に適用して使用する汚水桝用インバートとしては、下記のようなものが公知である。
Ａ）特開昭５９−１８８３１号公報記載のように、予めインバートを溝切りした状態の完成品として組み付けるようにしたもの。
Ｂ）また、筒状のコンクリート桝本体を現場に設置し、その底部にコンクリートを打設して所定のインバート溝を形成したもの。
Ｃ）実開昭５７−１４２０７９号公報や実開昭５９−１０３９０号公報記載のように、インバートの仕上げを改善しようとしてプラスチック製インバートをインバート溝の表面に適用したもの。
【０００３】
一方、下水桝や雨水桝としては射出成形品等からなるプラスチック製の汚水桝も使用されているが、大型のものが製造しやすいことや耐久性の面でコンクリート汚水桝が優れており、直ちにプラスチック製汚水桝に置き換えることができる状況にはない。
【０００４】
【発明が解決しようとする課題】
そこで、上記汚水桝用インバートを施工する場合において、Ａ）特開昭５９−１８８３１号公報記載のように、予めインバートを溝切りした状態の完成品として組み付けるようにしたものにおいては、インバートを溝切りした状態の完成品は非常に重いために扱いにくい上、設置に際して行なう水路の微調整も手間がかかるという欠点があった。
Ｂ）また、筒状のコンクリート桝本体を現場に設置し、その底部にコンクリートを打設して所定のインバート溝を形成したものにおいては、水路の正確な形成が難しく、インバート溝の仕上げに手間がかかりすぎるという問題が生じていた。
Ｃ）そのために実開昭５７−１４２０７９号公報や実開昭５９−１０３９０号公報記載のように、インバートの仕上げを改善しようとしてプラスチック製インバートをインバート溝の表面に適用したものにおいては、予め水路自体を正確に形成することができる利点があるものの、インバートを設置する際の微調整がしにくく、またコンクリート打設後の養生過程において誤差が生じるという欠点があった。
Ｄ）そして、特公平６−９６８７５号公報記載のように、作業者が乗れるコンクリート製インバートを準備し、これをインバート溝の表面に適用したものにおいては、予め水路自体を正確に形成することができる利点があるものの、コンクリートの成形面であるインバート溝の仕上げ面には不満が残り、水路が汚れやすく、かつ清掃がしにくいという欠点があった。
Ｅ）さらに、上記コンクリート製インバートは、運搬や施工の際に、その端面に欠けやひび割れ等が発生しやすく、施工に手間がかかる上、欠けやひび割れ部分の施工不良が水漏れ等のトラブルを発生させる原因となっており、その解決が望まれていた。このような欠点は、本発明者の提案した実用新案登録第２５１７５２４号においても同様に発生していたのである。
【０００５】
したがってこの発明の汚水桝用インバートは、上記問題点を解決するために、設置作業や設置時の仕上げのための微調整が行ないやすく、かつインバート溝の仕上げの手間が不要となって、迅速かつ正確な水路形成を行うことができ、しかも非常に滑らかなインバート溝の仕上げ面を得ることができて、なおかつ耐久性に優れた汚水桝用インバートを提供することを目的として発明されたものである。
【０００６】
【課題を解決するための手段】
すなわちこの発明の汚水桝用インバートは、ＦＲＰ製流路材と、その裏面に積層したコンクリート層とを有する汚水桝用インバートにおいて、ＦＲＰ製流路材の端面がコンクリート層の側端面を被覆するとともに、さらにその端部に段差を設けて施工時にＦＲＰ製流路材の浮き上がりを防止するようにしたことを特徴とするものである。
【０００７】
この発明の汚水桝用インバートは、上記コンクリート層外面の露出部分が、保護カバーで被覆したことをも特徴とするものである。
【０００８】
この発明の汚水桝用インバートは、上記コンクリート層が、軽量コンクリート製であることをも特徴とするものである。
【０００９】
この発明の汚水桝用インバートは、上記保護カバーが、ＦＲＰ、プラスチックの単一もしくは複合シート、織布もしくは不織布等から選ばれたことをも特徴とするものである。
【００１０】
この発明の汚水桝用インバートを形成するにあたっては、予め流入口および流出口を備えた汚水桝本体内に、上記流入口および流出口に連通するインバートを設置し、このインバートの外側をコンクリートで打設すればよい。
【００１１】
すなわち、上記インバートとして流入口および流出口に連通する溝を設けた所定の厚さの軽量コンクリート製等の水路材で形成したので、汚水桝用インバート内に上記インバートをはめ込み、適宜手段でその傾きや高さを調整しながらインバートの周囲にコンクリートで打設すればよい。
【００１２】
こうすることによって大型機械を使用することなく人手のみで設置作業が行なえ、しかも軽量コンクリートを使用しているので、予め汚水の流入口および流出口に合わせて所定の高さにモルタルまたはコンクリートの基盤を打設し、この軽量コンクリート製の水路材を基盤上にセットすると、水路材の沈み込みがほとんどなく、設置時の位置調整を簡易かつ迅速に行うことができる。
【００１３】
さらに、インバート溝の仕上げの手間が不要となって、迅速かつ正確な水路形成を行うことができることはもちろん、運搬や施工の際にその端面に欠けやひび割れ等が発生することもなく、施工を迅速に行うことができる上、欠けやひび割れ部分の施工不良に起因する水漏れ等のトラブルを防止することができる。
【００１４】
【発明の実施の形態】
以下に、この発明の汚水桝用インバートの実施の形態を、図面に基づいて詳細に説明する。
【００１５】
図１ないし図３において、１はインバートである。このインバート１は、汚水の流入口および流出口に連通する溝３を設けたＦＲＰ製等からなるプラスチック製の水路材２と、この水路材２に沿ってその下部に設けた所定の厚さの軽量コンクリート層４とで一体的に形成されている。図ではインバート１はエルボ状水路となるように形成されているが、直管状、Ｔ字状、Ｙ字状等の水路として必要な形状に形成することができる。
【００１６】
上記ＦＲＰ製等からなるプラスチック製の水路材２は、その上端面に上向きの折り曲げ部５と、さらに側縁には下向きの折り返し部６を形成されている。この折り曲げ部５および折り返し部６は、水路材２の補強および軽量コンクリート層４との密着作用を果たすだけでなく、軽量コンクリート層４端面の欠けやひび割れ等を防止するものである。
【００１７】
上記水路材２に沿って設けた軽量コンクリート層４に使用する軽量コンクリートとしては、火山砂利や軽石等の天然軽量骨材、また膨張頁岩、膨張粘土、焼成フライアッシュなどの人工的に加工された人口軽量骨材を用いたコンクリート、あるいは起泡剤により発泡させた発泡コンクリート等を使用することが可能である。
【００１８】
上記インバート１の製作に際しては、予め成形型で水路材２ないし軽量コンクリート層４を作成しておき、例えば水路材２を型に入れてコンクリートを打設したり、軽量コンクリート層４にＦＲＰ製等からなるプラスチックを張設すればよい。その際、ＦＲＰ製等からなるプラスチックの硬化前に約１〜５ｍｍ程度の粒の砂７等を付着させて粗面化しておけば、水路材２と軽量コンクリート層４との密着性が大変良好なものとなる。もちろん、粗面化の方法はこれに限られるものではない。なおインバート１の両端は、その後にはめ込む円筒状の汚水桝本体の形状に応じて所定の円弧を有している。
【００１９】
図４は、得たインバート１を筒状の汚水桝本体１１内にセットした状態を示している。その際、インバート１自体は軽量コンクリート層４を有するとはいえ、水路材２に沿ってその下部にのみ軽量コンクリート層４が形成されているので、人手によって十分運べる重さとなっている。
【００２０】
一方、汚水桝本体１１は汚水の流入口１２および流出口１３を備えている。この汚水の流入口１２および流出口１３は当該部分を薄肉としたノックアウト孔として、あるいは予め開口部分として形成しておくことができる。
【００２１】
そして、筒状の汚水桝本体１１内に予め所定の高さにモルタルまたはコンクリートの基盤１４を打設しておき、その上にセットしたインバート１は、その外側をさらにモルタルまたはコンクリートで打設される。その際大型機械を使用することなく人手のみで設置作業が行なえる。しかも軽量コンクリート層４を使用しているので、予め汚水の流入口および流出口に合わせて所定の高さにモルタルまたはコンクリートの基盤１４を打設し、この考案のインバート１を基盤上にセットすると、インバート１の沈み込みがほとんどなく、設置時の位置調整を簡易かつ迅速に行うことができる。
【００２２】
上記基盤１４およびインバート１両側のモルタルまたはコンクリート打設部分１５は、養生後は上記軽量コンクリート層４と完全に一体化する。なおインバート１両側のモルタルまたはコンクリート打設部分１５は、その上部に汚水が滞留しないよう、インバート１の水路側に傾斜させておくことが望ましい。
【００２３】
また、上記ＦＲＰ製等からなるプラスチック製の水路材２の側縁に形成した折り返し部６は、インバート１両側のモルタルまたはコンクリート打設部分１５が形成された際にコンクリート内に埋没し、使用中における軽量コンクリート層４からの剥離が防止される。
【００２４】
図５は、この発明の汚水桝用インバートの他の実施例を示すもので、上記ＦＲＰ製等からなるプラスチック製の水路材２の上端面に形成した折り曲げ部５は、所定の曲率のＲを有するよう水路部分から延長して形成されており、水路内を流れる汚水が折り曲げ部５に滞留しないように配慮されている。もちろんこの例でも、折り返し部６はインバート１両側のモルタルまたはコンクリート打設部分１５が形成された際にコンクリート内に埋没し、使用中における軽量コンクリート層４からの剥離が防止される。
【００２５】
図６は、この発明の汚水桝用インバートのさらに別の実施例を示すもので、上記ＦＲＰ製等からなるプラスチック製の水路材２の折り曲げ部５および折り返し部６で被覆されていない軽量コンクリート層４の外面は、保護カバー２１で被覆されている。この保護カバー２１は、ＦＲＰ、プラスチックの単一もしくは複合シート、織布もしくは不織布等から選ばれ、軽量コンクリート層４の外面に積層される。積層方法は、軽量コンクリート層４の打設時に一体化させたり、接着剤や両面粘着テープ等を用いて貼付することによって行うことができる。このようにしておけば、衝撃等による欠けやひび割れ等のトラブルが発生しにくくなり、また上記トラブルが発生しても施工には問題が生じない。
【００２６】
図７は、この発明の汚水桝用インバートのさらに別の実施例を示すもので、上記ＦＲＰ製等からなるプラスチック製の水路材２の折り曲げ部５および折り返し部６の端部には、段差８が設けてある。この段差８は、施工時にＦＲＰ製流路材の浮き上がりを防止するためのものである。
【００２７】
【発明の効果】
この発明の汚水桝用インバートを形成するにあたっては、予め流入口および流出口を備えた汚水桝本体内に、上記流入口および流出口に連通するインバートを設置し、このインバートの外側をコンクリートで打設すればよい。
【００２８】
すなわち、上記インバートとして流入口および流出口に連通する溝を設けたＦＲＰ製等からなるプラスチック製の水路材と、この水路材に沿ってその下部に設けた所定の厚さのコンクリート層とで一体的に形成したものを使用するので、汚水桝用インバート内に上記インバートをはめ込み、適宜手段でその傾きや高さを調整しながらインバートの周囲にコンクリートで打設すればよい。
【００２９】
こうすることによって大型機械を使用することなく人手のみで設置作業が行なえ、しかも軽量コンクリートを使用しているので、予め汚水の流入口および流出口に合わせて所定の高さにモルタルまたはコンクリートの基盤を打設し、この軽量コンクリート製の水路材を基盤上にセットすると、水路材の沈み込みがほとんどなく、設置時の位置調整を簡易かつ迅速に行うことができる。
【００３０】
さらに、インバート溝の仕上げの手間が不要となって、迅速かつ正確な水路形成を行うことができることはもちろん、運搬や施工の際にその端面に欠けやひび割れ等が発生することもなく、施工を迅速に行うことができる上、欠けやひび割れ部分の施工不良に起因する水漏れ等のトラブルを防止することができる。
【図面の簡単な説明】
【図１】この発明の汚水桝用インバートの一実施例を示し、インバートの平面図である。
【図２】その斜視図である。
【図３】その横断面図である。
【図４】汚水桝用インバートの完成状態の断面図である。
【図５】この発明の汚水桝用インバートの他の実施例を示す断面図である。
【図６】この発明の汚水桝用インバートのさらに別の実施例を示す断面図である。
【図７】この発明の汚水桝用インバートのさらに別の実施例を示す断面図である。
【符号の説明】
１ インバート
２ 水路材
３ 溝
４ コンクリート層
５ 折り曲げ部
６ 折り返し部
７ 砂
８ 段差
１１ 汚水桝本体
１２ 流入口
１３ 流出口
１４ 基盤
１５ コンクリート打設部分
２１ 保護カバー
【図１】
0004342082.tif 000002
【図２】
0004342082.tif 000003
【図３】
0004342082.tif 000004
【図４】
0004342082.tif 000005
【図５】
0004342082.tif 000006
【図６】
0004342082.tif 000007
【図７】
0004342082.tif 000008